(57)【要約】      （修正有）【課題】簡単な構造、作業で既存の貯水タンクにも容易に採用できる水洗トイレ用貯水タンクの節水装置を提供する。【解決手段】貯水タンク１内には、その底壁４から突出する出水口５と、下端が出水口５の下側に接続されたオーバーフロー管６と、出水口５を開閉するフロート弁７と、貯水タンク１内の水位を検知する浮き玉８と、該浮き玉８の上下動に連動してその下降時に貯水タンク１内に給水し上昇時に給水を停止するボールタップ９とが設けられ、その貯水タンク１の側壁１２とオーバーフロー管６との間に多孔質弾性体３が圧縮状に挿入されている。多孔質弾性体３は吸水性を有し、水洗時の給排水により貯水タンク１内の水位が変化する部位に配置されている。多孔質弾性体３はフロート弁７が開いて貯水タンク１内の水を排水するときにも、吸水状態の水を捕捉するため、水洗時の排水量を削減できる。【選択図】図１
0003142779.tif 000002
【実用新案登録請求の範囲】
【請求項１】
洗浄用の水を貯水する貯水タンク（１）を備えた水洗トイレにおいて、前記貯水タンク（１）内の給排水により水位が変化する部位に吸水性を有する多孔質弾性体（３）が配置され、該多孔質弾性体（３）はその弾性力により前記貯水タンク（１）内に位置決めされていることを特徴とする水洗トイレ用貯水タンクの節水装置。
【請求項２】
前記多孔質弾性体（３）は前記貯水タンク（１）の側壁（１２）間、又は前記貯水タンク（１）の側壁（１２）と該貯水タンク（１）内の構成部材との間に圧縮状に挿入され、前記側壁（１２）、又は前記側壁（１２）と前記構成部材とに対してその弾性力により圧接して位置決めされていることを特徴とする請求項１に記載の水洗トイレ用貯水タンクの節水装置。
【請求項３】
前記貯水タンク（１）内に、その底壁（４）から突出する出水口（５）と、下端が前記出水口（５）の下側に接続されたオーバーフロー管（６）と、前記出水口（５）を開閉するフロート弁（７）と、前記貯水タンク（１）内の水位を検知する浮き玉（８）と、該浮き玉（８）の上下動に連動してその下降時に前記貯水タンク（１）内に給水し上昇時に給水を停止するボールタップ（９）とを備え、前記オーバーフロー管（６）と前記貯水タンク（１）の内壁との間で前記多孔質弾性体（３）を保持することを特徴とする請求項１又は２に記載の水洗トイレ用貯水タンクの節水装置。
【請求項４】
前記多孔質弾性体（３）はその一部が水面上に露出するように上下方向に位置調整可能であることを特徴とする請求項１〜３の何れかに記載の水洗トイレ用貯水タンクの節水装置。
【請求項５】
前記多孔質弾性体（３）はポリビニルアルコールを原料とした連続気孔の多孔質体（２２）であることを特徴とする請求項１〜４の何れかに記載の水洗トイレ用貯水タンクの節水装置。
【考案の詳細な説明】
【技術分野】
【０００１】
本考案は水洗トイレ用貯水タンクの節水装置に関し、多孔質弾性体を利用して簡便に節水できるようにしたものである。
【背景技術】
【０００２】
家庭用等の水洗トイレは洗浄用の水を貯水する貯水タンクを備え、この貯水タンクから水を流して便器を水洗するようになっている。貯水タンクはその底壁から突出する出水口と、下端が出水口の下側に接続されたオーバーフロー管と、出水口を開閉するフロート弁と、貯水タンク内の水位を検知する浮き玉と、この浮き玉の下降時に貯水タンク内に給水し上昇時に給水を停止するボールタップとを備え、また貯水タンクの外側にフロート弁を開操作する操作レバーを備えている。
【０００３】
そして、用便後の水洗に際して操作レバーを操作すると、フロート弁が上昇して出水口を開放し、貯水タンク内の水を出水管を経て便器に流して水洗する。貯水タンク内の水位が給水レベルまで低下すると、浮き玉の下降に連動してボールタップが貯水タンク内に給水を開始し、またフロート弁が出水口を閉じて排水を停止する。貯水タンク内の水位が貯水レベルまで上昇すると、浮き玉の上昇に連動してボールタップが貯水タンク内への給水を停止する。
【０００４】
この種の水洗トイレでは、水洗時に必要量以上の水を便器に流すようになっている。そこで、この水洗時の水の無駄を防止する節水対策として、従来から浮き玉式（特許文献１）、節水材投入式（特許文献２）等が提案されている。
【０００５】
浮き玉式は、浮き玉の下側に浮体を装着して、貯水タンク内の水位に対して浮き玉の位置が相対的に高くなるようにし、貯水タンク内の貯水レベルを通常よりも低くして水洗時の排水量の削減を図るものである。
【０００６】
また節水材投入式は、貯水タンク内の底壁上に、通水性を有する円筒状のドラムを出水口を取り囲むように配置し、このドラムの外側で貯水タンク内の水中にボール状の節水材を投入して、貯水タンク内の貯水レベルを一定に保ちながら水洗時の排水量の削減を図るものである。
【特許文献１】登録実用新案第３０１４４５４号公報
【特許文献２】登録実用新案第３０９６５３５号公報
【考案の開示】
【考案が解決しようとする課題】
【０００７】
浮き玉式、節水材投入式を問わず、従来の節水方式は水洗時の排水量を削減して節水するものであるが、次のような問題がある。
【０００８】
即ち、浮き玉式は浮体の装着時に貯水タンク上の蓋体を取り外して、貯水タンク内の浮き玉の下側にゴムバンド等により浮体を装着する必要があり、浮体の装着作業が非常に煩わしく大掛かりなものとなる。また浮き玉に浮体を装着する際に、浮き玉をボールタップに枢支する支持杆に外力が加わるため、支持杆が劣化している場合にはその外力によって支持杆が損傷する等の惧れもある。更に浮体の装着位置のバラツキによって貯水タンク内の貯水レベルが変化するため、その装着位置の調整も煩雑になる欠点がある。
【０００９】
節水材投入式は、出水口、オーバーフロー管を取り囲むだけの大きなドラムを貯水タンク内に配置する必要があるため、貯水タンク内にドラムを入れる際にその蓋体を取り外す必要があり、浮き玉方式と同様にその作業が煩わしい欠点がある。また貯水タンク内にはオーバーフロー管の近傍に浮き玉が配置されているため、浮き玉と干渉しないようにドラムを適正位置に配置する必要があり、ドラムの位置が悪ければ浮き玉が作動しなくなる問題もある。
【００１０】
本考案は、このような従来の問題点に鑑み、簡単な構造、作業で既存の貯水タンクにも容易に採用できると共に、貯水タンク内のフロート弁、浮き玉等の作動に支障を来すことのない水洗トイレ用貯水タンクの節水装置を提供することを目的とする。
【課題を解決するための手段】
【００１１】
本考案は、洗浄用の水を貯水する貯水タンク１を備えた水洗トイレにおいて、前記貯水タンク１内の給排水により水位が変化する部位に吸水性を有する多孔質弾性体３が配置され、該多孔質弾性体３はその弾性力により前記貯水タンク１内に位置決めされているものである。
【００１２】
前記多孔質弾性体３は前記貯水タンク１の側壁１２間、又は前記貯水タンク１の側壁１２と該貯水タンク１内の構成部材との間に圧縮状に挿入され、前記側壁１２、又は前記側壁１２と前記構成部材とに対してその弾性力により圧接して位置決めされてもよい。
【００１３】
前記貯水タンク１内に、その底壁４から突出する出水口５と、下端が前記出水口５の下側に接続されたオーバーフロー管６と、前記出水口５を開閉するフロート弁７と、前記貯水タンク１内の水位を検知する浮き玉８と、該浮き玉８の上下動に連動してその下降時に前記貯水タンク１内に給水し上昇時に給水を停止するボールタップ９とを備え、前記オーバーフロー管６と前記貯水タンク１の内壁との間で前記多孔質弾性体３を保持するようにしてもよい。
【００１４】
前記多孔質弾性体３はその一部が水面上に露出するように上下方向に位置調整可能にしてもよい。前記多孔質弾性体３はポリビニルアルコールを原料とした連続気孔の多孔質体２２であることが望ましい。
【考案の効果】
【００１５】
本考案では、吸水性を有する多孔質弾性体３が貯水タンク１内の給排水により水位が変化する部位に配置され、その弾性力により貯水タンク１内で位置決めされているので、従来に比較して構造的に簡単であると共に、簡単な作業で既存の貯水タンク１にも容易に採用でき、しかも貯水タンク１内のフロート弁７、浮き玉８等との干渉も容易に回避することが可能である。
【考案を実施するための最良の形態】
【００１６】
以下、本考案の実施例を図面に基づいて詳述する。図１〜図３は手洗い付き密結形の貯水タンク１に採用した本考案の第１の実施例を例示する。水洗トイレ用の貯水タンク１は便器（図示省略）の洗浄用の水を貯水するためのもので、図１、図２に示すようにその開口側に着脱自在に載置された蓋体２を備え、また貯水タンク１内の水中に吸水性及び弾性を有する多孔質弾性体３が配置されており、この多孔質弾性体３により、便器の水洗時に使用する排水量を少なく抑えて節水するようにしている。
【００１７】
貯水タンク１はその底壁４から上側に突出する出水口５と、下端が出水口５の下側に接続されたオーバーフロー管６と、出水口５を上側から開閉するフロート弁７と、貯水タンク１内の水位の変化を検知する浮き玉８と、この浮き玉８の上下動に連動して貯水タンク１内の水位が給水レベルまで低下したときに貯水タンク１内に吸水し、貯水タンク１内の水位が適正な貯水レベルＨまで上昇したときに給水を停止するボールタップ９と、水洗時にフロート弁７を開けるための操作レバー１０とを備えている。
【００１８】
出水口５は貯水タンク１の底壁４の略中央に配置され、出水管１１を介して便器に接続されている。オーバーフロー管６はボールタップ９が故障したときに、貯水タンク１内の水をオーバーフローさせて便器に流すためのものであり、底壁４の上側近傍から略Ｌ字状に屈曲して起立し、その上端は貯水タンク１の貯水レベルＨよりも上側に突出している。フロート弁７はその基部がオーバーフロー管６に上下動自在に枢支されている。
【００１９】
ボールタップ９は出水口５に対してオーバーフロー管６と反対側で貯水タンク１の側壁１２に取り付けられており、貯水タンク１の外部の給水管１３に接続されている。浮き玉８は支持杆１４を介してボールタップ９に上下動自在に枢支され、その上下動によりボールタップ９内の弁体を開閉操作するようになっている。
【００２０】
操作レバー１０は出水口５に対してボールタップ９と反対側で貯水タンク１の側壁１２の外側に配置され、側壁１２を回動自在に貫通する操作軸１５の外端に固定されている。なお、操作レバー１０は貯水タンク１の前後方向の略中央よりも前側に偏位して配置されている。操作軸１５は操作レバー１０を操作したときにフロート弁７を引き上げて出水口５を開放するように、フロート弁７の上方でＬ字状に屈曲する屈曲部１６を有し、この屈曲部１６がチェーン等の索１７を介してフロート弁７に接続されている。
【００２１】
蓋体２は手洗い凹部１８と手洗いノズル１９とを備え、手洗い凹部１８の底部に貯水タンク１に水を流す通孔２０が設けられている。手洗いノズル１９は接続管２１を介してボールタップ９の給水口側に接続され、ボールタップ９からの給水時に手洗い用の水が出るようになっている。
【００２２】
多孔質弾性体３は図３（Ａ）に示すように吸水性に優れた連続気孔の多孔質体２２をブロック状その他の所定の塊状に成型したものである。なお、図３（Ｂ）に示すように帯状（二点鎖線）の多孔質体２２を渦巻き状に巻いたものでもよい。この多孔質弾性体３には例えばポリビニルアルコール（ＰＶＡ）を原料とした連続気孔の多孔質体が使用されており、全体が微細な立体網目構造をなし、その体積の約９０％前後で個々の気孔が連続する連続気孔となっている。
【００２３】
多孔質弾性体３はオーバーフロー管６に対して出水口５と反対側で操作軸１５の下側において、オーバーフロー管６と貯水タンク１の側壁１２との間で適度に圧縮された圧縮状に挿入され、その弾性力により貯水タンク１の側壁１２とオーバーフロー管６とに圧接して不安定に上下方向に移動しないように位置決めされている。
【００２４】
また多孔質弾性体３は少なくとも便器の水洗時の節水量（２〜３リットル程度）に見合う量の水を吸水し得るだけの体積を有し、便器の水洗時の給排水により貯水タンク１内の水位が変化する範囲に対応して、側壁１２とオーバーフロー管６とに沿って上下方向その他の適宜姿勢で配置されている。
【００２５】
なお、この多孔質弾性体３は、その一部が水面よりも上側に突出した状態にあり、貯水タンク１の側壁１２、オーバーフロー管６との間の摩擦力に抗する外力をかけることにより、側壁１２、オーバーフロー管６に対して上下方向に位置調整可能である。
【００２６】
このように貯水タンク１内に多孔質弾性体３を配置して、この多孔質弾性体３を貯水レベルＨとフロート弁７が排水を停止する排水停止レベルＬとの間で水中に浸漬しておけば、この多孔質弾性体３が貯水タンク１内の水を吸水して捕捉するため、便器を水洗する際の排水量を削減して節水することができる。
【００２７】
即ち、便器の水洗に際して操作レバー１０を操作すれば、操作軸１５、索１７等を介してフロート弁７が出水口５を開き、貯水タンク１内の水を出水口５から出水管１１を経て便器へと流す。その後、貯水タンク１内の水位が給水開始レベルまで低下すると、浮き玉８がその給水開始レベルを検知しボールタップ９が貯水タンク１への給水を開始する。
【００２８】
そして、ボールタップ９からの給水と並行して出水口５から便器への排水を継続し、貯水タンク１内の水位が排水停止レベルＬまで低下すると、フロート弁７が出水口５を封じて排水を停止する。貯水タンク１内の水が貯水レベルＨまで上昇すれば、浮き玉８がその貯水レベルＨを検知してボールタップ９が給水を停止する。
【００２９】
このようにフロート弁７が出水口５を開放すると、貯水タンク１内の水が排水停止レベルＬに達するまで排水するが、その排水中も多孔質弾性体３が吸水状態で水を捕捉しており、その多孔質弾性体３内に捕捉された水が出水口５から流出することは殆どない。このため多孔質弾性体３を貯水タンク１内の水中に浸漬しておくことにより、多孔質弾性体３の貯水レベルＨから排水停止レベルＬまでの体積に相当する量の水を節水することができる。
【００３０】
また多孔質弾性体３を貯水タンク１の側壁１２とオーバーフロー管６との間に圧縮状態で挿入すればよいので、従来の浮き玉方式、節水材充填方式に比較して多孔質弾性体３の貯水タンク１内への挿入が容易であり、簡単な作業で多孔質弾性体３を貯水タンク１内に配置することができる。しかも構造的にも簡単であり既存の貯水タンク１にも容易に採用することができる。
【００３１】
特に多孔質弾性体３はその弾性により自在に形状を変更可能であり、蓋体２の端部を持ち上げてその僅かな隙間から操作軸１５等を避けながら貯水タンク１内へと挿入できるため、その作業も従来に比べて非常に容易である。なお、多孔質弾性体３にポリビニルアルコール（ＰＶＡ）を原料とした連続気孔の多孔質体を使用する場合には、乾燥状態では若干固く弾性に欠けるが、水に漬けて吸水させることにより柔らかく弾力性に富んだ状態になるので、一旦水に漬けて吸水させてから水が零れない程度に搾った状態で挿入して行けばよい。
【００３２】
また多孔質弾性体３は貯水タンク１の側壁１２とオーバーフロー管６との間に挿入して、その弾性力により上下に不安定に動かないように保持しており、フロート弁７、浮き玉８と干渉することがないので、多孔質弾性体３を貯水タンク１内に配置してもそれによって本来の機能が損なわれるようなこともない。
【００３３】
多孔質弾性体３を貯水タンク１の側壁１２、オーバーフロー管６に対して上下方向に位置調整可能であり、貯水レベルＨと排水停止レベルＬとの間で多孔質弾性体３が水に浸漬する容積を変更することにより、１回当たりの排水量、換言すれば節水量を適宜調整することができる。従って、便器の汚物の流れ具合等を考慮しながら排水量を調整することも容易に可能である。
【００３４】
多孔質弾性体３はその弾性力により貯水タンク１の側壁１２とオーバーフロー管６との間に挿入しているが、多量の水を吸水して全体の比重が水に近いものとなっているため、貯水タンク１内の水の浮力によって多孔質弾性体３が浮き上がる惧れはない。
【００３５】
また貯水タンク１内の水を排水したときには、多孔質弾性体３の容積に相当する重量が貯水タンク１の側壁１２、オーバーフロー管６の摩擦面にかかるが、側壁１２、オーバーフロー管６との間に圧縮して挿入する等によりその摩擦抵抗を十分に確保しておけば、排水時に多孔質弾性体３の位置が下がるようなこともない。
【００３６】
なお、多孔質弾性体３はオーバーフロー管６に圧接して凹入するため、オーバーフロー管６の上端に多孔質弾性体３が引っ掛かるようにしておけば、側壁１２、オーバーフロー管６との間の摩擦抵抗が比較的小さい場合でも、多孔質弾性体３の下降を確実に防止できる。
【００３７】
図４は隅付き貯水タンク１に採用した本考案の第２の実施例を例示する。この貯水タンク１は入り隅部分に配置できるように平面視略直角三角形状に構成され、その前面側に操作レバー１０が配置されている。多孔質弾性体３はボールタップ９と反対側の隅でオーバーフロー管６と貯水タンク１の側壁１２との間に圧縮状に介在されている。
【００３８】
このように隅付き式の貯水タンク１の場合にも、第１の実施例と同様に貯水タンク１内に多孔質弾性体３を配置することにより、同様の節水効果を得ることができる。また隅付き式の場合には、貯水タンク１の前面側に操作レバー１０が配置されるため、操作軸１５に関係なく多孔質弾性体３を貯水タンク１内に挿入することが可能である。
【００３９】
以上、本考案の実施例について詳述したが、この実施例に限定されるものではなく、本考案の趣旨を逸脱しない範囲で種々の変更が可能である。例えば、多孔質弾性体３はブロック状、帯状以外の形状でもよい。
【００４０】
また多孔質弾性体３はポリビニルアルコール（ＰＶＡ）を原料とした連続気孔の多孔質体２２が最適であるが、ポリビニルアルコール以外の材料（石油化学系材料、天然材料等）を原料とした連続気孔の多孔質体を使用したものでもよい。
【００４１】
多孔質弾性体３を貯水タンク１内で位置決めするに当たって、実施例ではオーバーフロー管６を貯水タンク１内の構成部材とし、このオーバーフロー管６と貯水タンク１の側壁１２とに対して多孔質弾性体３を圧接させているが、オーバーフロー管６以外に適当な構成部材がある場合には、その構成部材と貯水タンク１の側壁１２との間で多孔質弾性体３を保持するようにしてもよい。
【００４２】
また貯水タンク１内の構成部材を利用する他、貯水タンク１の相対向する二つの側壁１２間に多孔質弾性体３を介在してもよいし、二つ又は三つの側壁１２が屈曲状に配置された隅部に多孔質弾性体３を配置して、多孔質弾性体３をその各側壁１２に圧接させてもよい。
【００４３】
多孔質弾性体３の上下方向の寸法は、第１の実施例のように貯水レベルＨから上側、排水停止レベルＬから下側の両側、又はその一方側に突出するものでもよいし、貯水レベルＨと排水停止レベルＬとの間に収まるものでもよい。後者の場合には、多孔質弾性体３が貯水レベルＨと排水停止レベルＬとの間にある限り、その上下位置に関係なく節水量は同じにできる。
【図面の簡単な説明】
【００４４】
【図１】本考案の第１の実施例を示す貯水タンクの正面断面図である。
【図２】同平面断面図である。
【図３】同多孔質弾性体の斜視図である。
【図４】本考案の第２の実施例を示す貯水タンクの平面断面図である。
【符号の説明】
【００４５】
１  貯水タンク
３  多孔質弾性体
４  底壁
５  出水口
６  オーバーフロー管
７  フロート弁
８  浮き玉
９  ボールタップ
１２  側壁
２２  多孔質体
【図１】
0003142779.tif 000003
【図２】
0003142779.tif 000004
【図３】
0003142779.tif 000005
【図４】
0003142779.tif 000006